(57)【特許請求の範囲】
【請求項１】
互いに異なる情報リーフレット（３，４）のバンドル（２）を製造する方法であって、  前記バンドル（２）を平べったい材料のシート（１）から製造し、
前記シート（１）は、前記互いに異なる情報リーフレット（３，４）を形成する少なくとも２つの互いに異なる区分を有し、
前記シート（１）を複数回の折り畳みプロセスで折り畳み、前記シート（１）は最初に第１の方向に折り畳まれ、次に前記第１の方向に対して横方向に延びる第２の方向に折り畳まれ、
少なくとも１つの突出した突出折り目（１４）を形成し、該突出折り目（１４）は折り畳まれた前記シートから突き出しており、
前記少なくとも１つの突出折り目（１４）を分離して前記情報リーフレット（３，４）を分離し、その結果、前記情報リーフレット（３，４）が前記バンドル（２）を形成するようにする、方法。
【請求項２】
前記突出折り目（１４）は、ストリップ（２５）を前記突出折り目（１４）から切り離すことによって分離され、各情報リーフレット（３，４）について、少なくとも１つの突出した縁領域（２７）を形成する、請求項１記載の方法。
【請求項３】
折り畳み後、前記折り畳まれたシート（１）を接着剤又はラベル（３４）を用いて取り外し可能に封着する、請求項１又は２記載の方法。
【請求項４】
前記少なくとも１つの突出折り目（１４）を、折り畳み後及び封着後に分離する、請求項３記載の方法。
【請求項５】
前記少なくとも１つの突出折り目（１４）上には少なくとも１つの情報が存在し、前記シート（１）を折り畳み、前記少なくとも１つの突出折り目（１４）を分離して前記少なくとも１つの情報が前記バンドル（２）の折り畳み状態で且つ／或いは前記バンドル（２）を開いた後に目に見えるようにする、請求項１〜４のうちいずれか一に記載の方法。
【請求項６】
少なくとも２つの互いに異なる情報リーフレット（３，４）付きのバンドルであって、前記情報リーフレット（３，４）は、つながった状態で折り畳まれており、
前記情報リーフレット（３，４）は、２つの異なる折り畳み方向を有し、
各情報リーフレット（３，４）は、前記情報リーフレット（３，４）の分離のための突出した縁領域（２７）を有し、各突出した縁領域（２７）は前記バンドル（２）から突き出している、バンドル。
【請求項７】
前記バンドル（２）は、接着剤を用いて取り外し可能に封着され、互いにつながっている状態の折り畳み及び前記接着剤によって結合される、請求項６記載のバンドル。
【発明の詳細な説明】
【技術分野】
【０００１】
本発明は、請求項１の前提部に記載された互いに異なる情報リーフレットのバンドル（束、bundle）を製造する方法及び請求項９記載の前提部に記載された少なくとも２つの互いに異なる情報リーフレットのバンドルに関する。
【背景技術】
【０００２】
説明対象の形式の情報リーフレットは、典型的には医薬品又は薬剤に関する情報を備えている。情報リーフレットという用語と同義のインサート及び補助包装材という名称も又しばしば用いられる。これら情報リーフレットをパッケージ、例えば医薬品又は薬剤の容器に取り付けることができる。この場合、「アウトサート（outsert ）」という用語も又しばしば用いられる。変形例として、情報リーフレットを医薬品又は薬剤が収納されたボックス内にルーズに差し込むことができる。
【０００３】
従来、情報リーフレットは、これら情報リーフレットのサイズを減少させるよう折り畳まれている。情報リーフレットは、ユーザによって開かれることが可能であり、ユーザは、例えば医薬品又は薬剤を購入した後、情報リーフレット上の情報を知ることができ、特にこれを読むことができる。
【０００４】
多くの場合、互いに異なる情報リーフレットをバンドルすることが必要である。かくして、例えば、医薬品ブランドは、医薬品又は薬剤に関する互いに異なる情報リーフレットを必要とする場合があり、互いに異なる情報リーフレットは、より実用的な仕方でバンドルされる。
【０００５】
互いに異なる情報リーフレットは、例えば、同一のレシピエント、例えば患者のための互いに異なる情報、例えば取り扱い説明及び規制情報を備えることができる。しかしながら、互いに異なる情報リーフレットは、互いに異なるレシピエント、例えば患者や医療従事者のために互いに異なる又は同一の情報を利用できるようにすることも可能である。本発明の範囲に含まれる種々の情報リーフレットは又、同一の特性（例えば、同一の情報）を備えることができるが、異なる目的向きであっても良い。本発明の範囲内において、異なる目的とは、例えば、１つ又は２つ以上の情報リーフレットが別の情報リーフレットの複製又はコピーとして役立つということである。
【０００６】
互いに異なる情報リーフレットのバンドルを製造する方法及びかかるバンドルが独国特許出願公開第１０２０１００２７２３１（Ａ１）号明細書に開示されており、この特許文献は、本発明の出発点をなしている。
【０００７】
公知の方法では、第１の情報リーフレット及びこの第１の情報リーフレットとは異なる第２の情報リーフレットがバンドルされる。この場合、各情報リーフレットを別のプロセスで別の１枚の紙（以下、「紙のシート」、「シート紙」、「枚葉紙」とも、単に「シート」ともいう場合がある）から製造する。各シート紙を数回の折り畳みプロセスで折り畳む。折り目及び折り畳み層を各折り畳みプロセスで形成する。
【０００８】
公知の方法では、全ての折り畳み層は、同一の幅、即ち、１つの折り目と次の折り目又はシート紙を境界付ける縁との間に同一の広がりを有する。折り目の位置を互いに合わせて、即ち、一線をなすようにする。
【０００９】
数枚の第１及び第２の情報リーフレットを公知の方法で作成した後、第１の情報リーフレットを取り外して比較的長い相互距離を置いて位置する運搬器具に移送する。先ず最初に、第２の情報リーフレットを９０°回し、次に２つの第１の情報リーフレット相互間の隙間に入れた状態で運搬器具上に載せる。情報リーフレットの順序を点検し、必要な場合モニタ装置によって是正する。
【００１０】
次に、グルー塗布装置を用いて、２つのグルースポットを第１の情報リーフレットに塗布する。運搬器具上における情報リーフレットのタイプ及び位置を検出するため、制御ユニットを介してグルー塗布装置に結合された状態で別の装置が設けられている。これにより、グルースポットが第１の情報リーフレットにのみ塗布されるようになる。
【００１１】
運搬器具の端のところには、情報リーフレット上へのグルーの塗布状態を点検するための別のモニタ装置が設けられている。モニタ装置は、制御装置を介してシャントに連結されており、シャントを用いて、欠陥又は不適切にグルーが施された情報リーフレットを切り離すことができる。満足の行く情報リーフレットが積み重ね装置に送られ、積み重ね装置は、グルーが施された第１の情報リーフレットとグルーが施されていない第２の情報リーフレットを互いに押し付けてバンドルの状態にする。次に、このように作られたバンドルを受け取り台に送る。
【先行技術文献】
【特許文献】
【００１２】
【特許文献１】独国特許出願公開第１０２０１００２７２３１（Ａ１）号明細書
【発明の概要】
【発明が解決しようとする課題】
【００１３】
本発明の一目的は、互いに異なる情報リーフレットのバンドルを製造する簡単な方法を提供すると共に複雑さ、コスト、時間、効率、及びスクラップに関して公知の方法を改良することにある。
【００１４】
本発明の別の目的は、製造するのが簡単である互いに異なる情報リーフレットのバンドルを提供すると共に取り扱い、コンパクトさ及び／又は安定性に関して互いに異なる情報リーフレット付きの公知のバンドルを改良することにある。
【課題を解決するための手段】
【００１５】
上述の目的は、請求項１に記載された方法又は請求項９記載に記載されたバンドルによって達成される。本発明の有利な実施形態及び観点は、従属形式の請求項の内容である。
【００１６】
本発明の一観点について以下に説明する形態、実施形態、利点等は、繰り返しを行わないでも本発明の他の観点にそれに応じて当てはまることは言うまでもない。このことを指摘した上で、以下において本発明を詳細に説明する。
【００１７】
本発明の方法では、バンドルを平べったい材料、特に紙のシートから製造する。したがって、「シート紙」という用語は、たとえこれが他の何らかの材料のシートである場合であっても、以下において主として用いられる。バンドルは又、連続（無限長さの）紙から製造することができる。
【００１８】
好ましくは、シート紙（枚葉紙）は、連続紙を截断することによって提供される。紙に加えて、例えばテキスタイル構造の状態に処理された炭素繊維も又、平べったい材料として使用できる。シート紙又は平べったい材料を折り畳むことができるということが重要である。
【００１９】
シート紙は、互いに異なる情報リーフレットを形成する少なくとも２つの互いに異なる区分を有する。シート紙の互いに異なる区分を互いに分離することができるということが重要である。例えば、シートの表面（おもてめん）と裏面（うらめん）に情報が設けられている場合、表面と裏面上の互いの異なる領域は、同一区分に割り当てられるべきである。
【００２０】
シート紙を少なくとも２回の折り畳みプロセスで折り畳む。本発明の範囲内において、「折り畳み」という用語は、ツール又は機械を用いた折り目、即ち、鮮明な折り目が付けられた縁（折り目としての区切れ）の形成として定義される。
【００２１】
本発明の方法では、少なくとも１つの突出した折り目が形成される。本発明における「突出（した）折り目」という用語は、折り畳まれたシート紙から突出し又は突き出た折り目を意味している。
【００２２】
少なくとも１つの突出折り目を分離して情報リーフレットを分離し、その結果、情報リーフレットがバンドルを形成するようにする。本発明の範囲内において用いられる「分離する」という表現は、分離されるべき材料の結合性が局所的に無効にされる製造方法上の用語である。したがって、突出折り目の分離は、例えば、分割、特に切断だけでなく、突出折り目のミシン目入れを含む場合がある。
【００２３】
したがって、本発明の一観点は、バンドルを製造するために正確に１枚のシート紙から互いに異なる情報リーフレットを形成し、この１枚のシート及び／かくして互いに異なる情報リーフレットをつながった状態で折り畳み、そして情報リーフレットが分離されるように、この１枚のシートを折り畳み状態で分離し、バンドルを形成するようにすることを含む。シート紙を折り畳む際、分離を容易に、迅速にしかも経済的に且つ正確に可能にするため、少なくとも１つの突出折り目を形成して情報リーフレットが突出折り目の分離によって分離されるようにする。
【００２４】
本発明の方法では、互いに異なる情報リーフレットを数ステップで、代表的には、ほんの一方法ステップであってもこれによってシート紙から形成することができる。かくして、特許請求の範囲に記載された本発明の方法は、公知の方法では必要な方法ステップの数及びかくして製造費及び製造時間を減少させる。
【００２５】
さらに、本発明の方法により、バンドルの状態への互いに異なるリーフレットの正確な配置が行われる。公知の方法では起こる場合のある互いに異なる情報リーフレットの誤った順序が回避される。かくして、本発明の方法は、バンドル中の互いに異なる情報リーフレットの順序の検出及びモニタを不要にする。その結果、本発明の方法は、スクラップを減少させ又はその発生を阻止する。さらに、本発明の方法は、製造の複雑さ、製造費及び製造時間を減少させる。
【００２６】
加うるに、本発明の方法は、公知の方法の場合のように、供給、分離、移送及び相互接着の形態で別々の情報リーフレットを一緒にするのを不要にする。かくして、本発明の方法は、製造の複雑さ、製造費及び製造時間を減少させると共に潜在的な欠陥源をなくしてスクラップを減少させる。
【００２７】
本発明の方法は、製造の際の中断を最小限に抑え又は減少させる。これにより、費用が少なくなると共に製造時間が短くなる。
【００２８】
本発明の方法は、全体として、互いに異なる情報リーフレットのバンドルの単純な、経済的な、時間がかからない、効率的な、しかもスクラップの少ない製造を可能にする。
【００２９】
本発明の別の観点は、少なくとも２つの互いに異なる情報リーフレットを備えたバンドルに関する。この観点によれば、情報リーフレットは、特に互いにつながった状態で折り畳まれる。情報リーフレットは、情報リーフレットを分離するよう切断される突出した折り目を有する。
【００３０】
情報リーフレットが本発明に従ってバンドルについてつながった状態で折り畳まれるので、本発明のバンドルは、公知のバンドルよりも極めてコンパクトであり又は著しくコンパクトである。
【００３１】
本発明のバンドルの突出した切断折り目により、ユーザが互いに異なる情報リーフレットの容易な分離を行うことができ、かくして取り扱いが向上する。
【００３２】
つながった状態で折り畳まれた情報リーフレットは、安定したバンドルを形成する。
【００３３】
本発明の上述の観点及び特徴並びに以下の説明及び特許請求の範囲の記載から理解される本発明の別の観点及び特徴は、互いに別個独立に、しかしながら任意の組み合わせ状態で具体化できる。
【００３４】
本発明の別の利点、特徴、特性、及び観点は、特許請求の範囲の記載及び添付の図面を参照して行われる好ましい実施形態についての以下の説明から明らかになろう。
【図面の簡単な説明】
【００３５】
【図１】本発明の方法の第１の好ましい実施形態のための当初の材料としてのシート紙の概略平面図であり、細部が拡大された状態で取り出されている状態を示す図である。
【図２】本発明の方法の第１の好ましい実施形態の部分実施後における中間製品としての図１のシート紙の斜視図である。
【図３】本発明の方法の第１の好ましい実施形態の次の部分実施後における中間製品としての図２のシート紙の概略斜視図である。
【図４】図３のシート紙を概略的に示す側面図である。
【図５】図３のシート紙を用いて本発明の方法の第１の好ましい実施形態の部分折り畳み順序を概略的に示す図である。
【図６】本発明の方法の第１の好ましい実施形態の次の部分実施後における中間製品としての図５のシート紙の概略斜視図である。
【図７】本発明の方法の第１の好ましい実施形態の最終製品としての本発明のバンドルの第１の実施形態の概略斜視図である。
【図８】第２のシート紙を用いた本発明の方法の第２の好ましい実施形態の部分折り畳み順序を概略的に示す図である。
【図９】本発明の方法の第２の好ましい実施形態の次の部分実施後における中間製品としての図８のシート紙の概略斜視図である。
【図１０】本発明の方法の第２の好ましい実施形態の最終製品としての特許請求の範囲に記載された本発明のバンドルの第２の実施形態の概略斜視図である。
【発明を実施するための形態】
【００３６】
図中、同一の参照符号は、同一又は類似の部分について用いられており、対応の特性及び利点は、説明の繰り返しが省かれている場合であっても達成される。
【００３７】
理解を支援するため、参照符号が好ましい方法の以下の説明中の部分について用いられている。しかしながら、本発明の方法は、参照符号が付けられた特徴には限定されず、他の部分を用いても実施できる。
【００３８】
図１は、シート紙１の概略平面図である。本発明の好ましい方法の第１の実施形態によれば、第１の情報リーフレット３及びこの第１の情報リーフレットとは異なる情報リーフレット４のバンドル２の第１の好ましい実施形態がシート紙１から製造され、この実施形態は、図７に示されている。
【００３９】
シート紙１は、互いに異なる情報リーフレット３，４を形成する２つの互いに異なる区分を有する。
【００４０】
シート紙１では、シート紙１の縦方向５は、開かれたシート紙１の最も長い延長方向に延び、シート紙１の横方向６は、開かれたシート紙１の２番目に長い延長方向に延びる。
【００４１】
シート紙１は、好ましくは、長方形の形をしている。しかしながら、別の形状、例えば丸形又は長方形の形を備えたシートも又、本発明の方法のための当初の材料として使用できる。
【００４２】
シート紙１は、縦方向５に好ましくは１ｍ未満、特に本質的には９１ｃｍ以下の延長部及び／又は横方向６に好ましくは５０ｃｍ未満、特に本質的には４２ｃｍ以下の延長部及び／又は好ましくは１ｍｍ未満、特に本質的に０．１ｍｍ以下の厚さを有する。
【００４３】
第１の情報リーフレット３は、縦方向５に、好ましくは８０ｃｍ未満、特に本質的には６９ｃｍ以下の延長部を有する。第２の情報リーフレット４は、縦方向５に、好ましくは３０ｃｍ未満、特に本質的に２２ｃｍ以下の延長部を有する。シート紙１の形状は長方形なので、互いに異なる情報リーフレット３，４は、横方向６に同一の延長部を有する。
【００４４】
好ましくは、シート紙１の互いに異なる区分及びかくして互いに異なる情報リーフレット３，４は、互いに異なる情報を備える。互いに異なる情報は、特に互いに異なるテキスト７及び／又は互いに異なる図形、特に好ましくは互いに異なる絵８である。図１に示されているシート紙１では、テキスト７及び絵８は、非常に単純化され又は省略された状態で示されている。好ましくは、互いに異なる情報リーフレット３，４は、互いに異なるレシピエント又は互いに異なる読者群向けに設計されている。
【００４５】
テキスト７及び／及び絵８は、好ましくは、ゴシック体でシート紙１上に印刷されている。この場合、図１に示されたシート紙１の表面だけではなく、シート紙１の裏面にも、テキスト７及び／又は絵８が印刷されるのが良い。この場合、互いに異なる区分相互間におけるテキスト７及び／又は絵８の分割を考慮に入れる必要がある。
【００４６】
シート紙１は、好ましくは、数本の折り畳み線９に沿って折り畳まれる。図１は、シート紙１上の７本の折り畳み線９を示している。折り畳み線９は、好ましくは、横方向６に延びると共に／或いは互いに平行に延びている。好ましくは、テキスト７及び／又は絵８は、これら折り畳み線９相互間の領域に配置され、その結果、好ましくはシート紙１の裏面表面上にテキスト７及び／又は絵８付きの、だいたい数個の欄が生じる。
【００４７】
本発明の方法の第１の好ましい実施形態によれば、シート紙１は、数回の、好ましくは７回の折り畳みプロセスで縦方向５に折り畳まれる。これを行う際、シート紙１を平行な折り畳み線９に沿って平行な折り畳みによって折り畳む。
【００４８】
本発明の方法の第１の好ましい実施形態では、扇状折り畳みが縦方向５の折り畳みのために用いられる。扇状折り畳みは、シート紙１の数個の領域を変化する角度方向周りに折り畳む平行折り畳みの一形式である。換言すると、シート紙１をシート紙１の表面に向かってそしてシート紙１の裏面に向かって交互に折り畳み線９に沿って折り畳む。これにより、ジグザグ状の折り畳みが得られ、この理由で、この形態は、ジグザグ折り畳みとも呼ばれている。
【００４９】
変形例として、シート紙１をコイル状折り畳み又はオルタ（altar ）状折り畳みによっても折り畳むことができる。コイル状折り畳みは、シート紙の数個の領域を同一面に向かって折り畳む平行折り畳みの一形式である。これにより、名称通りのコイルが得られる。オルタ状折り畳みは、シート紙１の表面又は裏面に向かってオーバーラップすることなくシート紙１の外側領域を折り畳む平行折り畳みの一形式である。
【００５０】
特許請求の範囲に記載された本発明の第１の好ましい実施形態では、シート紙１を図１では右端であるシート紙１の端１０のところでシート紙１の裏面に向かって図１の最も右側に位置する折り畳み線９に沿って始めて折り畳む。このようにする際に、折り目１２及び折り畳み層１３を形成する。特許請求の範囲に記載された本発明の方法の第１の好ましい実施形態のこの部分の中間製品が図２に概略的に示されている。
【００５１】
次に、シート紙１を他の折り畳み線９に沿ってシート紙１の表面に向かってそしてシート紙１の裏面に向かって交互に折り畳む。
【００５２】
好ましくは、２本の折り畳み線９相互間の距離及び折り畳み線９のうちの外側に位置する折り畳み線と開放端１０，１１との間の距離は、図１の右から見て第１の折り畳み線９と第２の折り畳み線９との間及び第２の折り畳み線９と第３の折り畳み線９と間の２つの距離を除き、少なくとも本質的に同一である。後者の２つの距離は、少なくとも本質的には互いに同じであるが、他の距離よりも長い。２つの長い方の距離は一致して、好ましくは、１１．５ｃｍを超え、特に本質的に１１．８ｃｍを超え、これに対し、他の距離は、好ましくは１１．５ｃｍ未満、特に本質的には１１．２ｃｍ以下である。
【００５３】
かくして、数個、好ましくは６個の折り目１２及び１つの突出折り目１４が形成される。図３は、本発明の方法の第１の好ましい実施形態に従って縦方向５の折り畳みを実施した後におけるシート紙１の斜視図である。図４は、この状態におけるシート紙１の概略側面図である。
【００５４】
シート紙１の縦方向５における突出折り目１４は、シート紙１から図３では左側に突き出た状態でこれから延びている。特許請求の範囲に記載された本発明の方法の第１の好ましい実施形態では、シート紙１は、突出折り目１４が少なくとも数ｍｍ、特に本質的には６ｍｍ以上にわたって突き出るよう折り畳まれている。図３〜図１０では、突出折り目１４の突出又は突出具合は、良好に区別できるよう誇張された状態で示されている。
【００５５】
好ましくは、折り目１２は、互いに位置が合わされ又は縦方向５に一線をなすように作られ、この線は、縦方向５及び横方向６に垂直に延びている。好ましくは、突出折り目１４は、折り畳み状態のシート紙１のこの線に対して突き出ている。折り目１２が縦方向５に一線をなして作られていない場合、突出折り目１４は、好ましくは、折り目１４の近くに位置する１つ又は複数の折り目１２に対して突き出る。
【００５６】
本発明の方法の第１の好ましい実施形態では、縦方向５における扇状折り畳み後、既に折り畳まれた状態のシート紙１が横方向に、即ちシート紙１の横方向６に折り畳まれる。この目的のために用いられる本発明の方法の第１の好ましい実施形態の部分順序が図５に概略的に示されている（順序は、右側で始まる）。
【００５７】
より分かりやすくするため、図５は、図５の既に折り畳まれた状態のシート紙１が非常に薄い又はそれどころか２次元の状態に見えるようシート紙１のたった１つの折り畳み層を示している。横方向６における折り畳みによりそれぞれの中間折り畳み製品の厚さが増大するという事実は、図５では、無視されたままである。突出部１４だけが図５に極めて単純化された状態で示されている。
【００５８】
シート紙１上では、数本の、好ましくは５本の互いに平行な折り畳み線３６がシート紙１の縦方向５に延びた状態で示されている。本発明の方法の第１の好ましい実施形態によれば、先ず最初に、折り畳み線３６のうちの１つ、好ましくは中間の１つの折り畳み線に沿って平行折り畳みにより矢印１５で示されているように、シート紙１の表面に向かってシート紙１を折り畳む。このようにする際、シート紙１をシート紙１の１つの下縁１６がシート１の１つの上縁１７上に位置すると共にこれに整列するよう折り畳む。このようにする際、第１の横方向折り目１８が形成される。
【００５９】
次に、このように横方向に折り畳まれたシート紙１を折り畳み線３６のうちの１本に沿いシート紙１の表面に向かって（矢印１９で示されているように）横方向に折り畳み、互いに上下に位置する縁１６，１７がまだ折り畳まれていない他方の折り畳み線３６上に位置するようにする。このようにする際、第２の横方向折り目２０が形成される。
【００６０】
最後に、このようにして横方向に折り畳まれたシート紙１を他方の折り畳み線３６に沿ってシート紙１の表面に向かって（矢印３５で示されているように）折り畳み、第１の横方向折り目１８が第２の横方向折り目２０上に位置すると共にこれに整列するようにする。このようにする際、第３の横方向折り目２１が形成される。
【００６１】
好ましくは、シート紙１は、特に接着剤を用いて横方向折り畳み後に封着する。
【００６２】
これを行うため、１つ又は２つ以上、好ましくは２つのセメントスポット２２を１つの内側の横方向折り畳み層２３に塗布するのが良く、外側の横方向折り畳み層２４を図６及び図７に示されているように内側の横方向折り畳み層２３及びセメントスポット２２に押し付けるのが良い。
【００６３】
第１の好ましい実施形態では、突出折り目１４を折り畳み後であってシート紙１の封着後に分離して２つの情報リーフレット３，４を分離し、その結果、情報リーフレット３，４がバンドル２を形成するようにする。このようにするため、突出折り目１４を分割し、特に切断する。特に好ましくは、切り取り線２６（図３）に沿ったストリップ２５を突出折り目１４から切り離して２つの情報リーフレット３，４につき、一度に１つの突出縁領域２７を形成する。
【００６４】
突出折り目１４の切断は、ミシン目入れと比較して、ユーザがミシン目に沿って引き裂くことによって２つの情報リーフレット３，４を取り外す必要がないという利点を提供する。ミシン目に沿う引き裂き時、残りのシート紙１及びこれに記載されている情報に裂け目が起こる場合がある。この恐れは、突出折り目１４を切断する際には生じない。
【００６５】
突出折り目１４は又、封着前であってしかも折り畳みプロセス相互間で分離可能である。
【００６６】
好ましくは、突出折り目１４上には少なくとも１つの情報が記載される。この理由で、開かれたシート紙１の印刷の際、テキスト７及び絵８を突き出た縁領域２７を最終的に形成する領域に施すことができ、特に印刷することができる。この場合、第２の情報リーフレット４の突出縁領域２７の情報以外に、情報を第１の情報リーフレット３の突出縁領域２７に印刷するのが良い。例えば、第１の情報リーフレット３の突出縁領域２７には、第１の情報リーフレット３のレシピエントを示す情報を印刷するのが良く、これとは逆に、第２の情報リーフレット４のレシピエントを含む情報を第２の情報リーフレット４の突出縁領域２７に印刷するのが良い。
【００６７】
突出縁領域２７は又、これら突出縁領域が色に関して互いに異なるよう作ることができる。これは、互いに異なる情報リーフレット３，４の取り扱いを一層楽にする。
【００６８】
突出折り目１４又は突出縁領域２７は又、突出縁領域２７が１つ又は２つ以上の隙間を有するよう加工可能である。隙間は、好ましくは、第１の情報リーフレット３の突出縁領域２７の隙間が第２の情報リーフレット４の突出領域縁領域２７の隙間とオーバーラップすることがないよう配置される。このように、互いに上下に配置されて見当合わせの形態及び機能を有する突出縁領域２７を形成することができる。
【００６９】
突出折り目１４を分離して突出折り目１４又は突出縁領域２７上の情報がバンドル２の折り畳みの状態で且つ／或いはバンドル２を広げた後に目に見えるようにするようにすることが好ましい。
【００７０】
ユーザは、内側の横方向折り畳み層２３が外側の横方向折り畳み層２４から取り外された状態で、このようにして製造されたバンドル２を開くことができる。バンドル２を開いた後、ユーザは、バンドル２を広げることができる。横方向折り目１８，２０，２１を広げた後、情報リーフレット３，４は、もはや互いに結合されず、これら情報リーフレットを互いに取り外すことができ又は互いにこれら自体外れることができる。折り目１２を広げた後、ユーザは、それぞれの情報リーフレット３，４上の情報を認識することができる。
【００７１】
図７は、本発明の方法の第１の好ましい実施形態の最終製品としてのバンドル２の概略斜視図である。２つの異なる情報リーフレット３，４を備えたバンドル２に関し、情報リーフレット３，４は、つながった状態で互いに折り畳まれる。２つの情報リーフレット３，４は、情報リーフレット３，４の分離のために切断され、かくして突出縁領域２７を形成する突出折り目１４を有する。
【００７２】
バンドル２は、好ましくは、互いにつながっている状態の折り畳み及び接着剤によって結合される。
【００７３】
情報リーフレット３，４は、目に見える情報及びサイズ、特にシート紙１の縦方向５における延長部に関して互いに異なっている。しかしながら、情報リーフレット３，４は、これらの形状、これらの色及び／又はこれら厚さに関しても互いに異なることができる。
【００７４】
好ましくは、情報リーフレット３，４のうちの一方は、規制情報を提供し、他方の情報リーフレット４，３は、取り扱い説明を提供する。別の好ましい実施形態では、２つの情報リーフレット３，４は、例えば互いに異なり又は互いに異なるレシピエント向きの規制情報を提供する。さらに、情報リーフレット３，４のうちの一方が医療従事者、特に医師又は薬剤師向きの情報を提供し、他方の情報リーフレット４，３が患者向きの情報を提供すれば有利であることが判明した。
【００７５】
図７に示されている本発明のバンドル２の好ましい例示の実施形態では、突出した状態の分離された折り目１４が分割され、特に切断される。
【００７６】
図８は、第２のシート紙１を用いた本発明の方法の第２の好ましい実施形態の部分順序を概略的に示している。この順序は、図８の右側で始まる。
【００７７】
第２のシート紙１は、第１のシート紙１とは異なるサイズを有している。第２のシート紙１も又、互いに異なる情報リーフレット３，４を形成する互いに異なる区分を有する。テキスト７及び絵８が第２のシート紙１に折り畳み線９を越えて印刷されている。
【００７８】
第２のシート紙１は、図８には、第２のシート紙１の縦方向５に既に折り畳まれた形態で示されている。既に第２のシート紙１が数本の、好ましくは５本の互いに平行な折り畳み線９に沿って扇状折り畳みによって平行に折り畳まれており、これら折り畳み線９は、横方向６に延びている。このようにする際、折り目１２、折り畳み層１３及び突出折り目１４が形成される。折り目１２は、好ましくは、位置が互いに合わされ又は一線をなす状態にされる。
【００７９】
より分かりやすくする目的で、図８は、図８の既に折り畳まれたシート紙１が非常に薄い又はそれどころか２次元に見えるよう第２のシート紙１のたった１つの折り畳み層を示している。図示の部分順序がそれぞれの中間製品の厚さを増大させるという事実は、図８で無視されたままである。突出折り目１４だけが図８に大幅に単純化された状態で示されている。
【００８０】
縦方向５に折り畳まれたシート紙１上には、数本の、特に６本の互いに平行な折り畳み線３６が縦方向５に延びた状態で図８に示されている。次に、本発明の方法の第２の好ましい実施形態によれば、シート紙１を横方向に、即ち、横方向６に折り畳む。このようにするため、先ず最初に、矢印２８で示されているように、好ましくは図８の第３の折り畳み線である１本の折り畳み線３６周りに下からシート紙１の表面に向かってシート紙１を折り畳む。このようにする際、シート紙１をシート紙１の下縁１６が図８では最も上に位置する折り畳み線３６上に位置すると共にこれに整列するよう折り畳む。このようにする際、第２のシート紙１の第１の横方向折り目２９が形成される。
【００８１】
次に、シート紙１をシート紙１の表面に向かって折り畳み（矢印３０で示されているように）、その結果、第１の横方向折り目２９が１つの上縁１７上に位置し又はこれに整列するようにする。このようにする際、第２の横方向折り目３１が形成される。
【００８２】
最後に、シート紙１をシート紙１の表面に向かって折り畳み（矢印３２で示されているように）、その結果、上縁１７に整列した第１の横方向折り目２９を備えた上縁１７が第２の横方向折り目３１上に位置し又はこれに整列するようにする。このようにする際、第３の横方向折り目３３が形成される。
【００８３】
シート紙１の横方向折り畳み後、折り畳み状態のシート紙１を接着剤の使用により取り外し可能に封着する。第２の好ましい実施形態では、この目的のため、好ましくは図９に示されているように、第２の横方向折り目３１の領域及び第１の横方向折り目２９が上縁１７に整列した状態の上縁１７の領域周りにラベル３４をシート紙１に取り付ける。ラベル３４は、好ましくは、透明であると共に／或いはシート紙１の縦方向５にミシン目が入れられている。
【００８４】
接着剤の代替例として又は追加例として、封着手段、例えばスタンプも又用いてシート紙１を封着するのが良い。スタンプを例えばラベル３４に代えてシート紙１周りに貼り付けることができる。
【００８５】
シート紙１を横方向に折り畳んで封着した後、突出折り目１４を分離して２つの情報リーフレット３，４を分離し、その結果、情報リーフレット３，４がバンドル２を形成するようにする。
【００８６】
図１０は、本発明の方法の第２の好ましい実施形態の最終製品としての本発明のバンドル２の第２の好ましい実施形態の概略斜視図である。
【００８７】
図１〜図１０に示されている例示の実施形態は、本発明の方法及び本発明のバンドルの変形例の唯一の認められた好ましいサブセットを構成している。具体的に言えば、シートの他の形態、他の折り畳み技術及び他の封着のための接着剤を有する変形例は、図示されていない。
【符号の説明】
【００８８】
１  １枚の紙、シート紙又は枚葉紙
２  バンドル
３  第１の情報リーフレット
４  第２の情報リーフレット
５  シート紙の縦方向
６  シート紙の横方向
７  テキスト
８  絵
９  折り畳み線
１０  シート紙の右端
１１  シート紙の左端
１２  折り目
１３  折り畳み層
１４  突出折り目
１５  矢印
１６  シート紙の下縁
１７  シート紙の上縁
１８  第１の横方向折り目
１９  矢印
２０  第２の横方向折り目
２１  第３の横方向折り目
２２  セメントスポット
２３  内側横方向折り畳み層
２４  外側横方向折り畳み層
２５  ストリップ
２６  切り取り線
２７  突出した縁領域
２８  矢印
２９  第１の横方向折り目
３０  矢印
３１  第２の横方向折り目
３２  矢印
３３  第３の横方向折り目
３４  ラベル
３５  矢印
３６  折り畳み線
【図１】
0006300831.tif 000002
【図２】
0006300831.tif 000003
【図３】
0006300831.tif 000004
【図４】
0006300831.tif 000005
【図５】
0006300831.tif 000006
【図６】
0006300831.tif 000007
【図７】
0006300831.tif 000008
【図８】
0006300831.tif 000009
【図９】
0006300831.tif 000010
【図１０】
0006300831.tif 000011